(57)【特許請求の範囲】
【請求項１】
光ファイバケーブルの中心軸に沿って中心テンションメンバの挿通孔を形成するとともに、左右対称位置に分散テンションメンバを保持する段部を形成した断面ハット形のブロックと、
先端部が前記段部に当接可能なように前記ブロックに上下動自在に嵌合する断面コ字形の押圧金具と、
前記ブロックの挿通孔とブロックの頂部との間に形成したネジ孔と、
このネジ孔に対応する位置の前記押圧金具に形成した透孔と、
この透孔を通して前記ネジ孔に螺着したボルトと、
を備えたことを特徴とするテンションメンバ固定金具。
【請求項２】
請求項１記載のテンションメンバ固定金具において、
前記ブロックの段部を上に凹の形状にしたことを特徴とするテンションメンバ固定金具。
【発明の詳細な説明】
【０００１】
【発明の属する技術分野】
本発明は、テンションメンバ固定金具に関し、例えば、光ファイバケーブルを引き込むクロージャに設置され、テンションメンバの数が１本であってもまたは２本であってもテンションメンバを確実に把持することのできるテンションメンバ固定金具に関する。
【０００２】
【従来の技術】
従来、光ファイバケーブルの配線には、クロージャが設置されて、光ファイバケーブルの端部が収納される。光ファイバケーブルは、通常２〜４芯の光ケーブルと１本または２本のテンションメンバとからなる。テンションメンバが１本の場合は中心テンションメンバと称して、テンションメンバが光ファイバケーブルの中心に位置する。テンションメンバが２本の場合は分散テンションメンバと称して、テンションメンバがケーブルの直径方向両端部に位置している。このように、テンションメンバの数により光ファイバケーブルは２種類あることになる。
【０００３】
【発明が解決しようとする課題】
このように、光ファイバケーブルはテンションメンバの配置に２種類あることから、クロージャのテンションメンバを固定する金具部分も互いに異なる２種類の構造としなればならず、従来は、それらを２種類用意しておいて、ファイバケーブルの種類に応じて、使い分けるという対応方法が取られていた。
その結果、テンションメンバの固定金具の部分に関してはコストアップとなるという課題があった。なお、図４は、従来のクロージャを示す。１がクロージャ本体、２が端面ゴムパッキン、３がケーブル固定金具台座、４がテンションメンバ固定金具、５が余長収納棚である。
【０００４】
【課題を解決するための手段】
そこで上記課題を解決するために、請求項１の発明は、光ファイバケーブルの中心軸に沿って中心テンションメンバの挿通孔を形成するとともに、左右対称位置に分散テンションメンバを保持する段部を形成した断面ハット形のブロックと、先端部が前記段部に当接可能なように前記ブロックに上下動自在に嵌合する断面コ字形の押圧金具と、前記ブロックの挿通孔とブロックの頂部との間に形成したネジ孔と、このネジ孔に対応する位置の前記押圧金具に形成した透孔と、この透孔を通して前記ネジ孔に螺着したボルトとを備えたことを特徴とする。
【０００５】
請求項２の発明は、請求項１の発明において、前記ブロックの段部を上に凹の形状にしたことを特徴とする。
【０００６】
【発明の実施の形態】
以下、図に沿って本発明の実施形態を説明する。
図１は本発明の実施形態に中心テンションメンバ型の光ファイバケーブルを取り付けた場合の斜視図を示す。
図において、１１は基台部であり、手前左端部に断面ハット形のブロック１２が一体的に形成されている。ブロック１２の上部には、断面コ字形の押圧金具１３が上下動自在に嵌合されている。基台部１１の右端には、Ｌ金具１４が立設され、上下からクランプ片１５，１６が光ファイバケーブル１７を押圧することで、クロージャ（図示せず）内に引き込まれた光ファイバケーブル１７を固定する。
【０００７】
全体が固定された光ファイバケーブル１７は外被が剥がされ、中心テンションメンバ１８がブロック１２の中心位置に形成されている挿通孔１９に挿通される。挿通孔１９に挿通された中心テンションメンバ１８は、ブロック１２を頂部から貫通して形成されたネジ孔に螺着されたボルト２０，２１により、挟圧されて固定される。
このブロック１２での挟圧による中心テンションメンバ１８の固定と、クランプ片１５，１６による光ファイバケーブル１７の固定により、光ファイバケーブル１７は完全にクロージャに固定されることになる。
【０００８】
図２は本発明の実施形態に分散テンションメンバ型の光ファイバケーブルを取り付けた場合の斜視図を示し、図３は図２の要部の拡大図である。
図３において、ブロック１２の両側には、挿通孔１９と略同レベルに段部２２，２３が形成されている。また、この段部２２，２３には、上方から押圧金具１３が上下動自在に嵌合されて、押圧金具１３の先端部２４，２５が段部２２，２３と当接可能に支持されている。ブロック１２には、頂部から挿通孔１９まで、ネジ孔２６，２７が形成されて、ボルト２０，２１が螺着されている。
【０００９】
また、このネジ孔２６，２７に対応する押圧金具１３の位置に透孔３３，３４が形成されて、ボルト２０，２１が挿通されている。それにより、このボルト２０，２１をねじ込むことで、押圧金具１３が下降する。
なお、各部は、図１と同一であり、図１の中心テンションメンバ１８の代わりに分散テンションメンバ３１，３２を取り付けたものである。すなわち、光ファイバケーブル２８の全体をクランプ片１５，１６により固定し、外皮を剥がして、２本の分散テンションメンバ３１，３２を取り出し、それぞれブロック１２の両側に形成されている段部２２，２３と押圧金具１３の先端部２４，２５との間に挿入する。
【００１０】
次いで、ボルト２０，２１を締めつけることで、押圧金具１３の先端部２４，２５を下降させ、分散テンションメンバ３１，３２を、押圧金具１３の先端部２４，２５と段部２２，２３とで挟圧して固定する。
なお、段部２２，２３は、分散テンションメンバ３１，３２が横に逃げないように上に凹の曲面に形成されている。
【００１１】
ここで、ボルト２０，２１および押圧金具１３について着目してみると、中心テンションメンバ型の光ファイバケーブル１７を用いる場合は、挿通孔１９に中心テンションメンバ１８が挿通されるので、ボルト２０，２１の下端が中心テンションメンバ１８を挟圧して固定する。このとき、押圧金具１３は、中心テンションメンバ１８の挟圧には関わらない。また、分散テンションメンバ型の光ファイバケーブル２８を用いる場合は、ボルト２０，２１をねじ込むことで、押圧金具１３が下降し両側で分散テンションメンバ３１，３２を挟圧して固定する。
【００１２】
このように、本発明では、同一のテンションメンバ固定金具でありながら、中心テンションメンバ型の光ファイバケーブル１７と分散テンションメンバ型の光ファイバケーブル２８の２種類の光ファイバケーブルの固定を可能にしたものである。
【００１３】
【発明の効果】
以上述べたように本発明によれば、光ファイバケーブルが中心テンションメンバ型であっても分散テンションメンバ型であっても同一のテンションメンバ固定金具により固定されるため、固定金具を２種類用意しておくことが不用となり、コストダウンが可能となる。
なお、本発明は、クロージャ内に光ファイバケーブルを導入して固定する構造だけでなく、各種の筺体内や支持部材に光ファイバケーブルを支持・固定する場合に適用可能である。
【図面の簡単な説明】
【図１】本発明の実施形態に中心テンションメンバ型の光ファイバケーブルを取り付けた場合の斜視図を示す。
【図２】本発明の実施形態に分散テンションメンバ型の光ファイバケーブルを取り付けた場合の斜視図を示す。
【図３】図２の要部の拡大図である。
【図４】従来例を示す図である。
【符号の説明】
１１  基台部
１２  ブロック
１３  押圧金具
１４  Ｌ金具
１５，１６  クランプ片
１７  光ファイバケーブル
１８  中心テンションメンバ
１９  挿通孔
２０，２１  ボルト
２２，２３  段部
２４，２５  先端部
２６，２７  ネジ孔
２８  光ファイバケーブル
３１，３２  分散テンションメンバ
３３，３４  透孔
【図１】
0004093441.tif 000002
【図２】
0004093441.tif 000003
【図３】
0004093441.tif 000004
【図４】
0004093441.tif 000005